(57)【要約】      （修正有）【課題】通過する者の踏み込む力によって開閉する自動引戸装置において、必要とする設置空間をより少なくし、設置を容易にする。【解決手段】扉開閉装置は、複数の軸受けを設けた踏み板２と、踏み板２の軸受け６に一端を連結するリンク５と、床面固定部分に設けられリンク５の他端を連結する軸受け６とを備えている。踏み板２は、踏み込まれると通過者の進行方向へ円弧運動しながら、且つ水平状態を維持して下降する。扉１は、この変位を動力源として開閉する。踏み板２の復帰機構は、リンク５の他端側を踏み板２と反対方向に延長した延長リンクと、延長リンクの延長端部に軸支持した錘７とから構成されている。錘７は、通過者が踏み板２に乗って踏み板２が下降すると上昇し、通過者が踏み板２を降りると自重で下降して踏み板２を上昇させる。【選択図】図１
2012251420.tif 000002
【特許請求の範囲】
【請求項１】
通過者から見て扉の前後床面に設置した踏み板機構の、踏み板を踏み込む圧力により、前記踏み板が降下する変位を動力源として開閉する扉開閉装置の扉開閉装置用踏み板機構であって、
通過者の荷重で降下した前記踏み板を、通過後、元の位置に戻す付勢力を前記踏み板に付加する復帰機構を設けたことを特徴とした扉開閉装置用踏み板機構。
【請求項２】
複数の軸受けを設けた前記踏み板と、
前記踏み板の軸受けに一端を連結する複数のリンクと、
床面固定部分に設けられ前記リンクの他端を連結する軸受けと、を備え、
前記踏み板が通過者の進行方向へ円弧運動しながら、且つ水平状態を維持し、下降する扉開閉装置用踏み板機構であって、
前記復帰機構は、通過者の荷重で倒れる方向に変化した前記リンクの角度を、通過後、元の角度に戻す付勢力を前記リンクに付加することを特徴とする請求項１記載の扉開閉装置用踏み板機構。
【請求項３】
連動ガイドを設けた一方の前記踏み板と、
前記連動ガイドに、摺動自在に連結する連動ガイド受け部材を設けた他方の踏み板とで構成し、
前記一方の踏み板が定量移動しながら下降した時、
前記他方の踏み板も前記一方の踏み板と同様に、扉を対称軸として線対称に定量移動しながら降下することを特徴とする請求項２記載の扉開閉装置用踏み板機構。
【請求項４】
前記復帰機構を、
前記リンクの他端側を前記踏み板と反対方向に延長した延長リンクと、
延長リンクの延長端部に軸支持した錘と、から構成し、
通過者が前記踏み板に乗り前記踏み板が下降したとき前記錘が上昇し、
通過者が前記踏み板を降りたとき前記錘が自重で下降して前記踏み板を上昇させることを特徴とする請求項２又は３に記載の扉開閉装置用踏み板機構。
【請求項５】
前記復帰機構を、
前記踏み板の固定部に固定された軸受けと同軸に取り付けたねじりバネから構成し、
通過者が前記踏み板に乗り前記踏み板が下降したとき前記ねじりバネの付勢力を蓄積し通過者が前記踏み板を降りたとき前記ねじりバネの付勢力を開放することにより前記踏み板を上昇させることを特徴とする請求項１〜３の何れかに記載の扉開閉装置用踏み板機構。
【発明の詳細な説明】
【技術分野】
【０００１】
本発明は、通過者が踏み込む力によって駆動される扉開閉装置用の踏み板機構で、通過し終わった後に踏み板機構内部の復帰機構により復帰する構造を持つ扉開閉装置用の踏み板に関する。
【背景技術】
【０００２】
従来の扉開閉装置の多くは、電動式の物では、通過が遅すぎると反応せず、立ち止まると検知範囲に人が居ても閉まってしまう。停電時には人力で扉とともに駆動装置も動かすために重い。駆動のエネルギーだけではなくて待機電流が発生する。
センサーに使用される電磁波の、人体および周辺に存在する精密機器への影響、など多くの欠点が有った。
【０００３】
このような欠点を解決するものとして、電気を使用せず、通過者が踏み板を踏んだときの、体重と踏み板の沈み代から得る位置エネルギーを利用した扉開閉装置が多数考案されてきた。その多くは開閉機構を、床面と戸袋部及び欄間部に設置し大きな空間を必要としていた。
【０００４】
従来技術による扉開閉装置の場合、特許文献では踏み板機構に対する記述は少ないが、特開平７−２０８０１６（図８参照）では扉直下を吊り上げ、通過者から見て前後端を蝶番で固定した機構である。踏み板の復元力は扉を閉じる力と連動させており、欄間部に機構を封入するための、大きな空間を確保する必要があった。また踏む位置によって作用力が変化するという欠点があった。
【０００５】
実願２００７−１６６４号及び実願２００５−７５５０号（図９参照）は欄間部に機構を設けない構造ではあるが、戸袋部に大きな機構を設けており、建物設計時にこのためのスペースを確保しておく必要がある。
【先行技術文献】
【特許文献】
【０００６】
【特許文献１】特開平７−２０８０１６号
【特許文献２】実開平６−３７４８２号
【特許文献３】実願２００５−７５５０号
【発明の開示】
【発明が解決しようとする課題】
【０００７】
通過者の体重による扉開閉装置は、床面の踏み板機構と、戸袋部と、欄間部の駆動機構とで構成され、床面部、戸袋部及び欄間部の空間に設けるため大きな空間を必要とし、建築物に組み込む施工の難しさがあった。そこで踏み板機構を薄くし、且つ通過者の荷重で下降した踏み板を、通過後自動的に上昇する自己復帰の構造とし、より小さな空間で機能させ、施工性の良い扉開閉装置用踏み板機構を提供する。
【課題を解決するための手段】
【０００８】
本発明の請求項１記載の扉開閉装置用踏み板機構は、通過者から見て扉の前後床面に設置した踏み板機構の、踏み板を踏み込む圧力により、前記踏み板が降下する変位を動力源として開閉する扉開閉装置の扉開閉装置用踏み板機構であって、
通過者の荷重で降下した前記踏み板を、通過後、元の位置に戻す付勢力を前記踏み板に付加する復帰機構を設けたことを特徴とする。
また、請求項２記載の扉開閉装置用踏み板機構は、複数の軸受けを設けた前記踏み板と、前記踏み板の軸受けに一端を連結する複数のリンクと、床面固定部分に設けられ前記リンクの他端を連結する軸受けと、を備え、前記踏み板が通過者の進行方向へ円弧運動しながら、且つ水平状態を維持し、下降する扉開閉装置用踏み板機構であって、前記復帰機構は、通過者の荷重で倒れる方向に変化した前記リンクの角度を、通過後、元の角度に戻す付勢力を前記リンクに付加することを特徴とする。
また、請求項３記載の扉開閉装置用踏み板機構は、連動ガイドを設けた一方の前記踏み板と、前記連動ガイドに、摺動自在に連結する連動ガイド受け部材を設けた他方の踏み板とで構成し、前記一方の踏み板が定量移動しながら下降した時、前記他方の踏み板も前記一方の踏み板と同様に、扉を対称軸として線対称に定量移動しながら降下することを特徴とする。
また、請求項４記載の扉開閉装置用踏み板機構は、前記復帰機構を、前記リンクの他端側を前記踏み板と反対方向に延長した延長リンクと、延長リンクの延長端部に軸支持した錘と、から構成し、通過者が前記踏み板に乗り前記踏み板が下降したとき前記錘が上昇し、通過者が前記踏み板を降りたとき前記錘が自重で下降して前記踏み板を上昇させることを特徴とする。
また、請求項５記載の扉開閉装置用踏み板機構は、前記復帰機構を、前記踏み板の固定部に固定された軸受けと同軸に取り付けたねじりバネから構成し、通過者が前記踏み板に乗り前記踏み板が下降したとき前記ねじりバネの付勢力を蓄積し通過者が前記踏み板を降りたとき前記ねじりバネの付勢力を開放することにより前記踏み板を上昇させることを特徴とする。
【発明の効果】
【０００９】
本発明の請求項１記載の扉開閉装置用踏み板機構を使用した扉開閉装置は、扉前後の床面、戸袋部及び欄間部に大きな設置空間を必要としないため、容易に設置可能である。
【図面の簡単な説明】
【００１０】
【図１】本発明による扉開閉装置用踏み板機構を使用した開閉装置の一例である。
【図２】本発明による実施例１記載の扉開閉装置用踏み板機構の一例の正面図である。
【図３】本発明による実施例１記載の扉開閉装置用踏み板機構の一例の正面図で踏み込んだ状態である。
【図４】本発明による実施例２記載の扉開閉装置用踏み板機構の一例の正面図である。
【図５】本発明による実施例２記載の扉開閉装置用踏み板機構の一例のリンク及びねじりバネ部分の平面図である。
【図６】本発明の変形例の扉開閉装置用踏み板機構を使用した開閉装置である。
【図７】本発明の変形例の扉開閉装置用踏み板機構を使用した開閉装置である。
【図８】特開平７−２０８０１６号による扉開閉装置である。
【図９】実願２００５−７５５０号による扉開閉装置である。
【発明を実施するための最良の形態】
【００１１】
本発明の扉開閉装置用踏み板機構は、扉前後の床面、戸袋部及び欄間部に大きな設置空間を必要とせず、容易な設置を可能にする。
【実施例１】
【００１２】
本発明による扉開閉装置用踏み板機構の１形態について図１〜図３を使用して説明する。図１は本発明の復帰機構として錘７を用い、踏み板２、連動ガイド３、リンク５、及び軸受け６で構成された踏み板機構Ｓ１と、扉１、駆動アーム４、吊戸レール８、及びガイド９で構成された扉開閉機構Ｄを組み合わせた形態である。
【００１３】
図１において、図上で右側から進入した通過する者が踏み板２を踏み込むことにより、図３に示すように踏み板２は下降し、連動ガイド３、駆動アーム４へと力が伝えられ、扉開閉機構へと伝えられる。同時にリンク５は、床面固定部の軸受け６を支点とし、この軸受け６から踏み板２と反対方向に延長した延長リンクに取り付けられた錘７を上昇させる。
【００１４】
通過者が通過し終わったら、図２に示すように錘７が下降することにより踏み板２を上昇させ復帰する。
【００１５】
実施例１では、下框内に封入したガイド９を駆動機構としているため、本発明による踏み板機構を使用した場合は戸袋部に機構部を設置する必要が無く、吊戸レール８も傾斜はしているが、扉１より上には吊戸レール８以外存在しないため、扉１、吊戸レール８、および踏み板機構以外の構造物を必要としない。
【００１６】
また復帰エネルギーがバネなどの機械的な力ではなく、性能の変化しない錘７であるため、長期に渡って安定した復帰力を得ることができ、点検、整備の必要性を少なくすることができる。
【実施例２】
【００１７】
本発明の復帰機構としてねじりバネ１０を用い、踏み板２、連動ガイド３、リンク５、及び軸受け６で構成された扉開閉装置用踏み板機構Ｓ２と、扉１、駆動アーム４、吊戸レール８、及びガイド９で構成された扉開閉機構Ｄを組み合わせた一例について図４及び図５を使用して説明する。
【００１８】
本発明の復帰機構としてねじりバネ１０を用いた扉開閉装置用踏み板機構では、前記の踏み板機構の錘７の代わりに固定部に固定された軸受け６と同軸に取り付けられ、一端を固定部に、他端をリンク５に固定して、図５に示すねじりバネ１０の反発力によって踏み板２を復帰させる方法である。
【００１９】
この方法ではリンク５、ねじりバネ１０、及び軸受け６等の機構部は踏み板２から外れた部分に設けることにより、踏み板２直下に部材が存在しないので、踏み板２を踏んだとき踏み板機構の底面まで下げることができ、薄い踏み板機構とすることが可能になる。
【００２０】
踏み板機構を薄くすることにより、設置する床面を掘り下げる必要がなくなり、実施例２の駆動機構部を使用した場合では吊戸レール８を傾斜させて取り付ける以外は、建物側には一切設置の為の工事を必要としない。
【００２１】
上記実施形態では、踏み板２の軸受け６と床面固定部分の軸受け６とをリンク５で連結することで、踏み板２が通過者の進行方向へ円弧運動しながら水平に昇降する場合について説明した。しかしながら、本発明は、踏み板２が降下する変位を動力源として開閉する他の扉開閉装置の踏み板機構にも適用できる。
【００２２】
例えば、図６，７に示すように、踏み板２が床面に対して上下方向に直線運動や回動運動して昇降する扉開閉装置でも、踏み板２が下降したときに上昇した錘７が、通過者の通過後に下降して踏み板２を上昇させる構成や、踏み板２が下降したとき付勢力を蓄積して通過者が踏み板２を降りたとき付勢力を開放して踏み板２を上昇させるバネ等の付勢手段を用いる構成を復帰機構として採用することができる。
【００２３】
図６に示す扉開閉装置は、踏み板２と連結棒１３とがリンク５で連結されている。連結棒１３には、軸受け６ａが取り付けられている。軸受け６ａは、床面上を回転して移動自在となっている。踏み板２の一端側のリンク５からは延長リンクが延びており、この延長リンクには錘７が取り付けられている。踏み板２の周囲には、踏み板２を上下方向にガイドするガイド１２が配置されている。踏み板２は、踏み込まれると、ガイド１２でガイドされて下降する。これにより、力が連動ガイド３、駆動アーム４から扉開閉機構へと伝えられる。同時に連結棒１３は、軸受け６ａが回転することで水平方向に移動する。リンク５は、床面固定部の軸受け６ａを支点とし、延長リンクに取り付けられた錘７を上昇させる。通過者が通過し終わると、錘７が下降することにより踏み板２を上昇させ復帰する。
【００２４】
図７に示す扉開閉装置では、リンク５から錘７が取り付けられた延長リンクが延びておらず、連結棒１３にコイルバネ１０ａの一端が取り付けられている。コイルバネ１０ａの他端は、床面に取り付けられている。踏み板２は、踏み込まれると、ガイド１２でガイドされて下降する。これにより、力が連動ガイド３、駆動アーム４から扉開閉機構へと伝えられる。同時に連結棒１３は軸受け６ａが回転することで矢印方向に移動し、コイルバネ１０ａを伸長させる。通過者が通過し終わると、コイルバネ１０ａが縮むことで踏み板２を上昇させ復帰する。このように、これらの構成によっても、上記実施形態と同様の作用効果を得ることができる。
【産業上の利用可能性】
【００２５】
本発明による扉開閉装置用踏み板機構を使用した扉開閉装置は、電気を使用しないため、電磁波を嫌う場所や、漏電・感電の恐れがある水を多く使う場所、通過する者が少ないので待機電流を避けたいが、両手に荷物を持った通過する者が多い倉庫などに適し、設置に伴う工事を最小限度とすることができる。
【符号の説明】
【００２６】
１    扉
２    踏み板
３    連動ガイド
４    駆動アーム
５    リンク
６    軸受け
６ａ  軸受け
７    錘
８    吊戸レール
９    ガイド
１０    ねじりバネ
１０ａ  コイルバネ
１１    通過する者の足
１２    ガイド
１３    連結棒
Ｓ１    踏み板機構（実施例１）
Ｓ２    踏み板機構（実施例２）
Ｄ      扉開閉機構
【図１】
2012251420.tif 000003
【図２】
2012251420.tif 000004
【図３】
2012251420.tif 000005
【図４】
2012251420.tif 000006
【図５】
2012251420.tif 000007
【図６】
2012251420.tif 000008
【図７】
2012251420.tif 000009
【図８】
2012251420.tif 000010
【図９】
2012251420.tif 000011